(57)【要約】【課題】多くの建物への設置が可能である移動式足場装置を提供すること。【解決手段】建物Ｂの突起部Ｗの上縁に設置される走行ユニット１０と、走行ユニット１０から下方に延びるガイドレール６０と、ガイドレール６０に沿って昇降するバケット７０とを備え、走行ユニット１０上のウインチ３０から延びるワイヤ３１端がバケット７０に連結されており、ウインチ３０でワイヤ３１を巻取り繰出すことでバケット７０を昇降させる移動式足場装置であって、走行ユニット１０は、突起部上縁を走行する複数の走行ローラ１６，１７と、突起部外表面に沿って転がる外側サイドローラ２１と、突起部内表面に沿って転がる内側サイドローラ２２とを備え、内側サイドローラ２２は、上下動自在に走行ユニット１０に取り付けられている。【選択図】図１
2008088765.tif 000002
【特許請求の範囲】
【請求項１】
建物の突起部の上縁に、当該上縁の延在方向に沿って移動可能な状態で設置される走行ユニットと、
走行ユニットに連結されており、当該走行ユニットから下方に延びる状態で設置されるガイドレールと、
ガイドレールに昇降可能に取り付けられた搭乗用のバケットと、
走行ユニットに設置されたウインチと、
一端側がウインチに巻回されており、他端側がバケットに連結されるワイヤと、を有し、
ウインチでワイヤを巻取りあるいは繰出すことによってバケットを昇降させる移動式足場装置であって、
前記走行ユニットは、前記突起部の上縁表面に、前記延在方向に沿って転がり可能な状態で接触する複数の上縁走行ローラと、前記突起部の建物外側表面に、前記延在方向に沿って転がり可能な状態で接触する外側サイドローラと、前記突起部の建物内側表面に、前記延在方向に沿って転がり可能な状態で接触する内側サイドローラとを備えており、
前記内側ローラは、上下動自在な状態で前記走行ユニットのユニット本体に設置されている移動式足場装置。
【請求項２】
前記外側ローラは、上下動自在な状態で前記走行ユニットのユニット本体に設置されている請求項１に記載の移動式足場装置。
【請求項３】
前記外側ローラは、前記ユニット本体に揺動自在に設置された揺動アームに取り付けられている請求項１に記載の移動式足場装置。
【請求項４】
前記走行ユニットは、前記建物の外方に先端が突出するブームを備えており、
当該ブームは、ブーム延在方向に沿って進退移動自在であると共に、前記ワイヤが掛けられるプーリを備えており、
前記ガイドレールは、前記ブームに吊下げ状態で連結されており、
ブームを進退移動させると、当該ブームに取り付けられたプーリが進退移動して前記バケットおよびガイドレールの吊下げ位置が前記建物に対して近接離間移動する、請求項１から請求項３のいずれか一項に記載の移動式足場装置。
【請求項５】
前記ブームは、前記ガイドレールとの連結位置より先端側に取り付けられた先端側プーリと、連結位置よりも後端側に取り付けられた後端側プーリを備えており、
前記ワイヤは、いずれかのプーリに掛けられた状態で用いられるようになっており、
前記バケットは、前記ガイドレールの建物離間側に配置された状態で前記ガイドレールに昇降自在に取付可能であると共に、ガイドレールの建物近接側に配置された状態でガイドレールに昇降自在に取付可能であり、
前記建物離間側に配置されたバケットを前記先端側プーリに掛けられたワイヤによって昇降させ、前記建物近接側に配置されたバケットを前記後端側プーリに掛けられたワイヤによって昇降させる請求項４に記載の移動式足場装置。
【請求項６】
前記バケットは、前記ガイドレールに近接する側に内側板を備えていると共にガイドレールから離間する側に外側板を備えており、
内側板は、その上端部をバケットから離間する側に傾倒できるように、その下端部で回動自在に軸支されており、
外側板は、その上端部をバケットから離間する側に傾倒できるように、その下端部で回動自在に軸支されている、請求項５に記載の移動式足場装置。
【請求項７】
前記ブームは、前記建物の内方に延在する延長部を備えるものであり、
前記走行ユニットの移動方向に延伸する状態であり、かつブームの延長部と交差する状態で、ブームのガイド部材を建物に設置し、
ブームの延長部とガイド部材との交差部に、ブームおよびガイド部材に係合しており、かつ、走行ユニットの移動方向に移動するブームをガイド部材の延伸方向に案内するガイド部材が設置されている、請求項４から請求項６のいずれか一項に記載の移動式足場装置。
【発明の詳細な説明】
【技術分野】
【０００１】
本発明は、建物の外壁のリフォーム作業など、作業者が建物の外壁に沿って移動しながら行う作業で用いられる移動式足場装置に関する。
【背景技術】
【０００２】
従来の移動式足場装置としては、建物の突起部の上縁に引っ掛けるように設置される走行装置と、この走行装置に吊り下げ状態で連結されたガイドレールと、ガイドレールに沿って昇降可能になっている搭乗用のバケットと、走行装置上に設置されたウインチとを有しており、ウインチの巻取り用のドラムに巻きつけられたワイヤの端部がバケットに連結されたものが知られている（特許文献１参照）。
【０００３】
この移動式足場装置では、走行装置を突起部の上縁に沿って移動させると、搭乗用バケットが突起部の上縁に沿って横方向に移動し、ウインチのドラムでワイヤを巻き上げ、あるいは繰り出すと搭乗用バケットが昇降する。したがって、搭乗用バケットに乗った作業者は、建物の外壁沿いの任意の位置に移動することができ、その位置でリフォーム作業などの作業を行うことができる。
【特許文献１】特許第３５３１８２０号公報
【発明の開示】
【発明が解決しようとする課題】
【０００４】
ところで、移動式足場装置の設置先である建物の突起部の形状は多種多様である。特に、近年、建物の外観のデザイン化が進んでおり、多様さの度合いが増している。
【０００５】
本発明は、このような問題点に鑑みてなされたものであり、より多くの建物への設置が可能である移動式足場装置を提供することを課題とする。
【課題を解決するための手段】
【０００６】
上記課題を解決するため、本発明は、建物の突起部の上縁に、当該上縁の延在方向に沿って移動可能な状態で設置される走行ユニットと、走行ユニットに連結されており、当該走行ユニットから下方に延びる状態で設置されるガイドレールと、ガイドレールに昇降可能に取り付けられた搭乗用のバケットと、走行ユニットに設置されたウインチと、一端側がウインチに巻回されており、他端側がバケットに連結されるワイヤと、を有し、ウインチでワイヤを巻取りあるいは繰出すことによってバケットを昇降させる移動式足場装置であって、前記走行ユニットは、前記突起部の上縁表面に、前記延在方向に沿って転がり可能な状態で接触する複数の上縁走行ローラと、前記突起部の建物外側表面に、前記延在方向に沿って転がり可能な状態で接触する外側サイドローラと、前記突起部の建物内側表面に、前記延在方向に沿って転がり可能な状態で接触する内側サイドローラとを備えており、前記内側ローラは、上下動自在な状態で前記走行ユニットのユニット本体に設置されている移動式足場装置である。
【０００７】
請求項２に記載の発明は、請求項１に記載の移動式足場装置であって、前記外側ローラは、上下動自在な状態で前記走行ユニットのユニット本体に設置されているものである。
【０００８】
請求項３に記載の発明は、請求項１に記載の移動式足場装置であって、前記外側ローラは、前記ユニット本体に揺動自在に設置された揺動アームに取り付けられているものである。
【０００９】
請求項４は、請求項１から請求項３のいずれか一項に記載の移動式足場装置であって、前記走行ユニットは、前記建物の外方に先端が突出するブームを備えており、当該ブームは、ブーム延在方向に沿って進退移動自在であると共に、前記ワイヤが掛けられるプーリを備えており、前記ガイドレールは、前記ブームに吊下げ状態で連結されており、ブームを進退移動させると、当該ブームに取り付けられたプーリが進退移動して前記バケットおよびガイドレールの吊下げ位置が前記建物に対して近接離間移動するものである。
【００１０】
請求項５に記載の発明は、請求項４に記載の移動式足場装置であって、前記ブームは、前記ガイドレールとの連結位置より先端側に取り付けられた先端側プーリと、連結位置よりも後端側に取り付けられた後端側プーリを備えており、前記ワイヤは、いずれかのプーリに掛けられた状態で用いられるようになっており、前記バケットは、前記ガイドレールの建物離間側に配置された状態で前記ガイドレールに昇降自在に取付可能であると共に、ガイドレールの建物近接側に配置された状態でガイドレールに昇降自在に取付可能であり、前記建物離間側に配置されたバケットを前記先端側プーリに掛けられたワイヤによって昇降させ、前記建物近接側に配置されたバケットを前記後端側プーリに掛けられたワイヤによって昇降させるものである。
【００１１】
請求項６は、請求項５に記載の移動式足場装置であって、前記バケットは、前記ガイドレールに近接する側に内側板を備えていると共にガイドレールから離間する側に外側板を備えており、内側板は、その上端部をバケットから離間する側に傾倒できるように、その下端部で回動自在に軸支されており、外側板は、その上端部をバケットから離間する側に傾倒できるように、その下端部で回動自在に軸支されているものである。
【００１２】
請求項７は、請求項４から請求項６のいずれか一項に記載の移動式足場装置であって、前記ブームは、前記建物の内方に延在する延長部を備えるものであり、前記走行ユニットの移動方向に延伸する状態であり、かつブームの延長部と交差する状態で、ブームのガイド部材を建物に設置し、ブームの延長部とガイド部材との交差部に、ブームおよびガイド部材に係合しており、かつ、走行ユニットの移動方向に移動するブームをガイド部材の延伸方向に案内するガイド部材が設置されているものである。
【発明の効果】
【００１３】
請求項１に記載の発明では、建物の突起部の上縁に走行ユニットを設置したときに当該突起部の建物内側表面に接する内側ローラは、上下動自在な状態で前記走行ユニットのユニット本体に設置されている。走行ユニットの設置先である建物の突起部は、多種多様な形状であり、突起部の建物内側表面の高さ寸法が小さい場合、すなわち突起部の建物内側の底面から突起部の上縁までの高さが低い場合がある。建物内側表面の高さが低いと、内側ローラの下端部が建物内側の底面などに突き当たって、突起部に走行ユニットを安定した状態で設置できないことがある。この点、本発明によれば、内側ローラを上下動させることができるので、内側ローラを、建物内側の底面などに突き当てることなく、建物内側表面に接触させることができ、走行ユニットを安定した状態で建物の突起部に設置することができる。
【００１４】
請求項２に記載の発明では、前記外側ローラは、上下動自在な状態で前記走行ユニットのユニット本体に設置されている。走行ユニットの設置先である建物の突起部にあっては、突起部の建物外側表面に凹凸などがある場合がある。外側ローラの当接位置に凹凸があると、外側ローラを突起部の建物外側表面に安定した状態で当接させることができず、外側ローラが安定した状態で転動しないおそれがある。この点、本発明によれば、外側ローラを上下動させることができるので、外側ローラを安定した状態で転動できる位置に当接させることができ、突起部に設置した走行ユニットを安定した状態で走行させることができる。
【００１５】
請求項３に記載の発明では、前記外側ローラは、前記ユニット本体に揺動自在に設置された揺動アームに取り付けられている。走行ユニットの設置先である建物の突起部にあっては、突起部の上縁に連なる建物外側表面が垂直面ではなく、傾斜面である場合がある。突起部の上縁に傾斜面である建物外側表面が連なっている場合、垂直方向に延伸する回転軸に軸支されている外側ローラを外側表面に当接させることができないことがある。この点、本発明によれば、外側ローラを支持する揺動アームを揺動させることよって外側ローラを傾斜状態にすることができ、外側ローラを傾斜面である建物外側表面に接触させることができる。外側ローラを建物外側表面に接触させることができれば、走行ユニットを安定した状態で走行させることができる。
【００１６】
請求項４に記載の発明では、前記走行ユニットは、前記建物の外方に先端が突出するブームを備えており、当該ブームは、ブーム延在方向に沿って進退移動自在であると共に、前記ワイヤが掛けられるプーリを備えており、前記ガイドレールは、前記ブームに吊下げ状態で連結されており、ブームを進退移動させると、当該ブームに取り付けられたプーリが進退移動して前記バケットおよびガイドレールの吊下げ位置が前記建物に対して近接離間移動するものである。走行ユニットの設置先である建物では、突起部の建物外側表面と、その下方の建物外側表面とが面一でなく、突起部下方の建物外側表面の方がより外側に位置していることがある。この場合、突起部に設置される走行ユニットにガイドレールを吊下げる構造では、ガイドレールを突起部下方の建物外側面に沿って垂直に吊下げることができないことがある。この点、本発明によれば、ブームを進退移動させることで、ブームに吊下げられたガイドレールを進退移動させることができるので、突起部の外側表面よりも突起部下方の外側表面の方が外側に位置しているような場合であっても、ガイドレールを突起部下方の外側表面に沿って垂直に吊下げることができる。
【００１７】
請求項５に記載の発明では、前記ブームは、前記ガイドレールとの連結位置より先端側に取り付けられた先端側プーリと、連結位置よりも後端側に取り付けられた後端側プーリを備えており、前記ワイヤは、いずれかのプーリに掛けられた状態で用いられるようになっており、前記バケットは、前記ガイドレールの建物離間側に配置された状態で前記ガイドレールに昇降自在に取付可能であると共に、ガイドレールの建物近接側に配置された状態でガイドレールに昇降自在に取付可能であり、前記建物離間側に配置されたバケットを前記先端側プーリに掛けられたワイヤによって昇降させ、前記建物近接側に配置されたバケットを前記後端側プーリに掛けられたワイヤによって昇降させる。走行ユニットの設置先である建物では、突起部の建物外側表面と、その下方の建物外側表面とが面一でなく、突起部下方の建物外側表面の方がより内側に位置していることがある。この場合、突起部の外側表面に沿って垂直にガイドレールを吊下げると、突起部の下方位置では、ガイドレールと建物外側表面とが離れてしまい、バケットに搭乗している作業者が建物外側表面に対して作業を行なうことができない場合がある。この点、本発明によれば、ガイドレールの建物近接側にバケットを配置することができるので、突起部外側表面よりも突起部下方の外側表面の方が内側に位置している場合でも、バケットを建物外側表面に近接する位置に配置することで、バケットを突起部下方の建物外側表面に近接した位置に配置することができ、建物外側表面に対して容易に作業を行なうことができる。
【００１８】
請求項６に記載の発明では、前記バケットは、前記ガイドレールに近接する側に内側板を備えていると共にガイドレールから離間する側に外側板を備えており、内側板は、その上端部をバケットから離間する側に傾倒できるように、その下端部で回動自在に軸支されており、外側板は、その上端部をバケットから離間する側に傾倒できるように、その下端部で回動自在に軸支されている。吊下げられたバケットと建物外側表面との間に隙間があると、バケットに搭乗した作業者が建物外側表面に対して何らかの作業を行なっているときに、バケットと建物外側表面との間の隙間からごみなどを落下させる可能性がある。この点、本発明によれば、バケットの内側板や外側板を回動させることができ、回動させることによって内側板や外側板の上端がバケットから離間した状態に傾倒させることができる。そして、傾倒させることによって、内側板または外側板を建物外側表面に接触させることができる。バケットと建物外側表面との間の離間距離は、移動式足場装置を設置するたびごとに異なる場合が多いが、本発明によれば、当該離間距離が変動しても、建物外側表面に近接して位置する内側板または外側板を傾倒させることによって、バケットと建物外側表面との間に隙間が生ずることを確実に防止することができる。隙間の発生が防止されれば、作業者が誤ってごみなどを落下させたとしても、落下したごみは傾倒された内側板または外側板に当たってバケット内に回収されることとなり、バケット下方へのごみの落下が確実に防止される。
【００１９】
請求項７に記載の発明では、前記ブームは、前記建物の内方に延在する延長部を備えるものであり、前記走行ユニットの移動方向に延伸する状態であり、かつブームの延長部と交差する状態で、ブームのガイド部材を建物に設置し、ブームの延長部とガイド部材との交差部に、ブームおよびガイド部材に係合しており、かつ、走行ユニットの移動方向に移動するブームをガイド部材の延伸方向に案内するガイド部材が設置されている。建物の外側に進退移動可能なブームによって、ガイドレールやバケットを吊下げ支持する構造の移動式足場装置では、ブームが吊下げ支持するガイドレールおよびバケットの重量の関係で、ブームの建物外側への進出可能距離が制限される。この点、本発明によれば、ブームは延長部を備えており、しかも、当該延長部をガイド部材に係合させているので、ガイド部材によって、ブームを安定した状態に支持することができ、ブームを建物外側により長い距離進出させることができる。また、ガイド部材によって、走行ユニットと共に移動するブームの移動を案内するので、ブームと共に走行ユニットをよりスムーズに走行させることができる。
【発明を実施するための最良の形態】
【００２０】
以下、本発明に係る移動式足場装置の実施形態について図面を用いて詳細に説明する。
【００２１】
図１に示されるように、移動式足場装置は、建物Ｂの突起部Ｗの上縁Ｅに設置される走行ユニット１０と、走行ユニットに設置されたウインチ３０とを備えている。そして、移動式足場装置は、走行ユニット１０を建物Ｂの突起部Ｗの上縁Ｅに設置したとき、先端が建物Ｂの外側に突出する状態で走行ユニット１０に支持されるブーム４０と、当該ブーム４０に吊り下げ状態で連結されたガイドレール６０と、ガイドレール６０に沿って昇降可能に設置された搭乗用のバケット７０と、を有している。このバケット７０は、ウインチ３０によって巻取りあるいは繰出されるワイヤ３１により吊下げ支持されている。
【００２２】
図２に示されるように、走行ユニット１０は、建物Ｂの内外方向（前後方向）Ａに水平に延びる状態で設置される左フレーム１１および右フレーム１２と、左および右フレーム１１，１２の前端部に両端が固定された外フレーム１３と、左および右フレーム１１，１２の後端部に両端が固定された内フレーム１４とからなる平面視四角形のユニットフレーム１５を備えている。
【００２３】
左および右フレーム１１，１２の下面には、それぞれ、突起部Ｗの上縁Ｅの表面に接触される走行ローラ１６，１７が取り付けられている。各走行ローラ１６，１７の回転軸は、左および右フレーム１１，１２の延在方向Ｃに延びており、本実施形態では、突起部Ｗの延在方向と直交していると共に水平に延びている。
【００２４】
２つの走行ローラ１６，１７のうち、左側に示される第１走行ローラ１６には減速機付きの走行用モータ１８（図１参照）が連結されている。したがって、この走行用モータ１８を作動させると、走行ローラ１６，１７が回転し、走行ユニット１０が横方向すなわち突起部上縁Ｅの延在方向Ｃに移動する。
【００２５】
また、外および内フレーム１３，１４には、上下方向Ｄに貫通する貫通穴１３ａ，１４ａがそれぞれ２つ形成されている。各貫通穴１３ａ，１４ａの開口はいずれも四角形である。そして、外フレーム１３の両貫通穴１３ａ，１３ａには、それぞれ、外側の脚部材１９，１９が上下方向Ｄに移動自在な状態で挿通されている。そして、内フレーム１４の両貫通穴１４ａ，１４ａには、それぞれ、内側の脚部材２０，２０が上下方向Ｄに移動自在な状態で挿通されている。各脚部材１９，２０は、棒状で断面四角形の形状であり、４つの側面が左右側および外内側に向く状態で挿通されている。また、走行ユニット１０には、各脚部材１９，２０の上下方向位置を固定するための固定具（不図示）が取り付けられており、各脚部材１９，２０を所定の上下方向位置に固定できるようになっている。
【００２６】
このように、走行ユニット１０は、ユニットフレーム１５と、当該ユニットフレーム１５から下方に延びる部分を備える内外の脚部材１９，２０とを備えており、外側の脚部材１９および内側の脚部材２０で突起部Ｗの上縁Ｅを跨ぐ状態で、突起部Ｗの上縁Ｅに設置される。
【００２７】
また、図１および図２に示されるように、外側の脚部材１９には、突起部Ｗの外側面に接触される外側サイドローラ２１が取り付けられており、内側の脚部材２０には、突起部Ｗの内側面に接触される内側サイドローラ２２が取り付けられている。各サイドローラ２１，２２は、突起部Ｗの上縁Ｅに走行ユニット１０を設置した状態で、その回転軸方向が上下方向Ｄに向く状態に取り付けられている。そして、各サイドローラ２１，２２は、走行ユニット１０が横方向に移動すると、これに伴い突起部Ｗの側面上を転がりつつ回転する。両サイドローラ２１，２２のうち、内側サイドローラ２２は、位置調節機構２３を介して内側の脚部材２０に取り付けられており、突起部Ｗの内側表面に対して近接離間移動可能になっている。なお、本実施形態で用いられている位置調節機構２３は、ねじ機構を用いたものである。他方、外側サイドローラ２１は、外側の脚部材１９に固定されている。このように、少なくともいずれか一方のサイドローラを位置調節可能に取り付けておけば、突起部Ｗの厚さに応じて両サイドローラ２１，２２の間隔を調整でき、両サイドローラ２１，２２を確実に突起部Ｗの側面に接触させることができる。
【００２８】
ブーム４０は、走行ユニット１０の左および右フレーム１１，１２に支持されるブーム本体４１と、ブーム本体４１の内外方向内側の端部に連なるブーム延長部４２とを備えており、内外方向Ａに移動自在な状態で走行ユニット１０に支持されている。そして、ブーム本体４１は、左フレーム１１に支持されるブーム本体左部４１ａと、右フレーム１２に支持されるブーム本体右部４１ｂと、ブーム本体左部および右部４１ａ，４１ｂの先端部に両端が固定されたブーム本体前部４１ｃとを備えている。
【００２９】
より具体的に説明すると、ブーム本体左部および右部４１ａ，４１ｂを支持する走行ユニット１０の左および右フレーム１１，１２は、断面四角形の筒状形状であり、ブーム４０のブーム本体左部および右部４１ａ，４１ｂは、筒状の左および右フレーム１１，１２内に挿通されている。したがって、ブーム本体左部および右部４１ａ，４１ｂを左および右フレーム１１，１２に対して内外方向Ａに摺動移動させることにより、ブーム４０を内外方向に移動できる。なお、走行ユニット１０は、ブーム本体左部および右部４１ａ，４１ｂを左および右フレーム１１，１２に対して固定するための固定具（不図示）を備えており、ブーム本体左部および右部４１ａ，４１ｂを所定位置に位置決めできるようになっている。
【００３０】
ブーム本体左部および右部４１ａ，４１ｂは、それぞれ、建物外側に延びる先端部に、ワイヤ３１を掛けるためのプーリ４５，４６を２つ備えている。２つのプーリ４５，４６のうち、ブーム本体左部および右部４１ａ，４１ｂの先端に取り付けられた第１プーリ４５にワイヤ３１を掛けると、掛けられたワイヤ３１は、ガイドレール６０の外側に配置される。他方、第１プーリ４５よりも、内外方向内側に取り付けられた第２プーリ４６にワイヤ３１を掛けると、掛けられたワイヤ３１は、ガイドレール６０の内側に配置される。つまり、第１プーリ４５は、図１に示されるように、ガイドレール６０の外側にバケット７０を配置する場合に、ワイヤ３１を掛けるプーリとして用いられる。他方、第２プーリ４６は、図７に示されるように、ガイドレール６０の内側にバケット７０を配置する場合に、ワイヤ３１を掛けるプーリとして用いられる。
【００３１】
ブーム延長部４２は、ブーム本体左部および右部４１ａ，４１ｂに対して着脱自在になっており、概略Ｙ字形状になっている。より具体的に説明すると、ブーム延長部４２は、ブーム本体左部および右部４１ａ，４１ｂに着脱自在に連結される左および右アーム部４２ａ，４２ｂと、左および右アーム部４２ａ，４２ｂを支持する胴体部４２ｃとを備えている。ブーム本体左部および右部４１ａ，４１ｂの内外方向内側の基端部は筒形状になっており、基端は開口している。この開口からブーム本体左部および右部４１ａ，４１ｂ内に左および右アーム部４２ａ，４２ｂの先端（外側端）を挿入し、あるいは抜き取ることで、ブーム本体左部および右部４１ａ，４１ｂとブーム延長部４２とを着脱できる。このように、ブーム４０は分割可能になっている。分割可能な構造であれば、ブーム４０を構成する一つ一つの部材の重量が軽量化され、ブーム４０の運搬、ひいては移動式足場装置の運搬が容易になる。
【００３２】
なお、ブーム本体左部および右部４１ａ，４１ｂとブーム延長部４２との連結部には、抜け止め用の連結部材であるピン４７が取り付けられるようになっている。本実施形態では、抜け止め用のピン４７が用いられており、このピン４７をブーム本体左部および右部４１ａ，４１ｂおよびブーム延長部４２の連結部に形成された挿通穴に差込むことで、ブーム本体左部および右部４１ａ，４１ｂとブーム延長部４２との離脱が確実に防止される。
【００３３】
図４に示されるように、建物Ｂには、走行ユニット１０の走行方向に延伸するレール状のガイド部材５１が設置されている。このガイド部材５１は、ブーム延長部４２と交差する状態、より具体的には直交する状態で設置されている。また、ガイド部材５１は、断面Ｈ形の鋼材であり、延伸方向両側に凹部５１ａ，５１ａが位置する状態で設置されている。そして、ブーム４０のブーム延長部４２には、ブーム延長部４２をガイド部材５１に係合させるため係合体であるハンガ５２が取り付けられている。ハンガ５２は、ガイド部材の凹部５１ａ，５１ａに係合されたローラ５２ａ，５２ａを備えており、ガイド部材５１に沿って移動自在になっている。したがって、ブーム４０がガイド部材５１の延伸方向（走行方向）Ｃに移動するとき、その動きをスムーズに案内することができる。また、ガイド部材５１の凹部５１ａ，５１ａにハンガ５２のローラを係合させているので、ブーム４０の内外方向内側の端部が上方に跳ね上がるようなことが防止される。したがって、ガイドレール６０やバケット７０が吊下げられるブーム４０の先端部に、より重い重量を吊下げることができる。
【００３４】
また、ブーム４０のブーム本体前部４１ｃには、ガイドレール６０を連結するときに用いられる連結金具４８が取り付けられている。
【００３５】
図５に示されるように、ガイドレール６０は、梯子形状のものであり、平行に配置された断面コの字形の２本のレール材６１，６１と、両レール材６１，６１の間に所定の間隔で取り付けられた横方向に延びる複数本の棒材とからなるものである。各レール材６１は、コの字形の断面の凹部が外側に向けられている。棒材のうち、ガイドレール６０を走行ユニット１０に設置したときに最も上側に位置する棒材６２には、ガイドレール６０を走行ユニット１０に連結するために用いられる連結穴６３ａが形成された金具６３が取り付けられている。したがって、この連結穴６３ａと、走行ユニット１０の連結穴４８ａとを重ねた状態で、図示されていない連結ピンを挿入すると、ガイドレール６０が走行ユニット１０に連結される（図３参照）。
【００３６】
そして、設置したときに最も下側に位置する棒材６４にも、連結穴６５ａが形成された金具６５が取り付けられている。したがって、下側の連結穴６５ａに別のガイドレール６０の上側の連結穴６３ａを重ねて連結ピンで留めることで、複数のガイドレール６０を連結することができる。さらに、ガイドレールを次々と連結することで必要な長さのガイドレール連結体を用意することができる。
【００３７】
また、横方向に延びる複数本の棒材のうち、上端および下端以外の位置に設置された棒材６６は、ガイドレールに対して着脱自在になっている。より具体的に説明すると、図５（ｂ）に示されるように、各レール材６１は、他方のレール材６１と相対向する内側面に、棒材６６を引掛けるための係合部材６７を備えている。係合部材６７は、レール材６１との取付部６７ａと、棒材６６が引掛けられる引掛け部６７ｂとを備えている。引掛け部６７ｂは、棒材６６を引掛けるためのＵ字形の溝６７ｃを備えており、レール材６１との間に隙間が形成されている。他方、棒材６６は、その両端部に、Ｕ字形の溝６７ｃに係合可能な細径部６６ａ，６６ａを備えており、各細径部６６ａの外端には、レール材６１と引掛け部６７ｂとの間の隙間に差し込まれる係合板６６ｂが取り付けられている。したがって、棒材６６の両端の係合板６６ｂ，６６ｂを隙間に差込みつつ、棒材６６の細径部６６ａ，６６ａを溝６７ｃに引掛けると、脱落しない状態で、棒材６６をガイドレール６０に取り付けることができる。そして、取り付けられた棒材６６に、下側から上方に押し上げる力を加えると、棒材６６をガイドレール６０から簡単に取り外すことができる。
【００３８】
なお、ガイドレール６０の最も上側に位置する棒材６２には、連結穴６３ａとは別に、ガイドレール６０を吊り下げ支持するための引掛け穴（引掛け部）６２ａが形成されている。後述するように、走行ユニット１０にガイドレール６０を連結する場合、ガイドレール６０を走行ユニット１０の高さまで引き上げる必要がある。引掛け穴６２ａは、この引き上げ作業において用いられるものである。
【００３９】
図１に示されるように、ガイドレール６０には、ガイドレール６０に沿って昇降可能な状態で搭乗用のバケット７０が昇降可能に取り付けられている。
【００４０】
バケット７０は、そのフレーム（不図示）に取り付けられた底板７１と、四方に配置された４つの側板７２〜７５を備えており、上部が開口になっている。作業者はこの開口からバケット７０に搭乗できる。また、４つの側板７２〜７５のうち、ガイドレール６０に近接する側に配置された内側板７２は、底板７１に固定された内側板下部７２ａと、内側板下部７２ａに回動自在に取り付けられた内側板上部７２ｂとを備えている。つまり、図１に示されるように、内側板上部７２ｂは、その上端部をバケット７０から離間する側に傾倒できるようになっている。同様に、ガイドレール６０から離間する側に配置された外側板７３（図６参照）は、底板７１に固定された外側板下部７３ａと、外側板下部７３ａに回動自在に取り付けられた外側板上部７３ｂとを備えている。つまり、図６に示されるように、外側板上部７３ｂは、その上端部をバケット７０から離間する側に傾倒できるようになっている。
【００４１】
そして、バケット７０は、断面コの字形のガイドレール６０の凹部に転がり可能に取り付けられたスライダ７６を介してガイドレール６０に取り付けられており、ガイドレール６０に沿ってスムーズに昇降できるようになっている。
【００４２】
ところで、スライダ７６は、当該スライダ７６をガイドレール６０のレール材６１の上端または下端まで移動させると、ガイドレール６０から取り外すことができる。そして、スライダ７６は、図１に示されるようにバケット７０をガイドレール６０の内外方向Ａ外側に配置した状態でガイドレール６０のレール材６１の凹部に取り付けることができるだけでなく、図６に示されるようにバケット７０をガイドレール６０の内外方向Ａ内側に配置した状態であっても、ガイドレール６０のレール材６１の凹部に取り付けることができる。つまり、本実施形態の移動式足場装置によれば、状況に応じて、バケット７０をガイドレール６０の外側に配置した状態で昇降させることができると共に、ガイドレール６０の内側に配置した状態で昇降させることができる。
【００４３】
なお、ここでは、バケット７０をガイドレール６０の外側に配置した状態を基に実施形態について説明している。
【００４４】
バケット７０において、ガイドレール６０側に位置する内側板７２の上端には、ガイドレール６０の棒材６２に引掛け可能な２つのロックアーム７７，７７が取り付けられている（図１参照）。各ロックアーム７７は、その付け根の位置で、バケット７０の内側板７２の上端に回動可能に取り付けられており、ガイドレール６０の棒材６２、６４，６６に引っ掛かることができるロック位置（図１において二点鎖線で示される位置）と、引っ掛からないアンロック位置（図１において実線で示される位置）との間で回動できるようになっている。ロックアーム７７の回転軸の方向は、走行ユニット１０の移動方向に平行な水平方向である。
【００４５】
各ロックアーム７７には、バケット７０の昇降に用いられる２本のワイヤ３１が締結される通し穴が形成されている。つまり、バケット７０は、ワイヤ３１によって吊り下げ支持されている。ワイヤ３１は、ウインチ３０によって巻取りおよび繰出し可能になっており、ウインチ３０でワイヤ３１を巻き上げるとバケット７０が上昇し、ワイヤ３１を繰出すとバケット７０が下降する。
【００４６】
ワイヤ３１は、ロックアーム７７の先端側の位置に締結されている。したがって、ワイヤ３１でバケット７０を吊り下げ支持しているとき、ロックアーム７７はアンロック位置に位置する。この状態のとき、ロックアーム７７が棒材６２、６４，６６に引っ掛かることはなく、バケット７０をガイドレール６０に沿って自在に昇降できる。
【００４７】
また、各ロックアーム７７とバケット７０の内側板７２との間にはばね（不図示）が連結されている。このばねは、ロックアーム７７がアンロック位置に位置するときに伸張状態になって、ロックアーム７７にロック位置側に回動する向きの付勢力を付与するものである。つまり、ワイヤ３１でバケット７０を吊り下げ支持しているとき、バケット７０のロックアーム７７には、恒常的にロック位置に回動する向きの付勢力が付与されている。したがって、吊り下げ支持されている状態から、たとえばワイヤ３１を外すなどして上方に引き上げる力が解除されると、ロックアーム７７は、ばねの付勢力によって自動的にロック位置に回動する。
【００４８】
バケット７０は、左右２本のワイヤ３１，３１によって吊下げ支持されており、図２に示されるように、走行ユニット１０には、左および右ワイヤ３１，３１の巻取りおよび繰出しに用いられる左および右ウインチ３０，３０が設置されている。各ウインチ３０，３０は、減速機付の昇降用モータ３２と、昇降用モータ３２によって回転自在に支持されるドラム３３とを備えている。ドラム３３の回転軸は、走行ユニット１０を水平に延びる突起部Ｗの上縁Ｅに設置したときに水平方向に向くように設置される。各ドラム３３は、いずれも、ワイヤ３１を巻き取るためのものであり、同一軸上に位置するように取り付けられている。また、ドラム３３は、モータ３２の出力軸（不図示）に着脱可能に取り付けられている。
【００４９】
また、走行ユニット１０には、走行用モータ１８および昇降用モータ３２，３２の動作を制御する図示しないコントローラが収容された制御ユニット３４が設置されている（図１参照）。この制御ユニット３４には、コントローラの制御信号を受信してコントローラに送る受信器が搭載されている。他方、バケット７０には、走行用モータ１８および昇降用モータ３２，３２の制御信号を発信する送信器を備えたリモコン３５が設置されている。したがって、作業者は、バケット７０に搭乗した状態で、両モータ１８，３２，３２の制御を遠隔操作することができる。リモコン３５は、バケット７０に対して着脱自在に設置されており、作業者は、建物Ｂの側に立っている状態など、バケット７０以外の任意の位置でも両モータ１８，３２，３２の動作を制御できる。
【００５０】
このような移動式足場装置を建物Ｂの突起部Ｗの上縁Ｅなどに設置する場合について説明する。
【００５１】
この場合、まず、ウインチ３０，３０およびブーム４０を走行ユニット１０のユニットフレーム１５に取り付けて、これらが取り付けられた走行ユニット１０を突起部Ｗの上縁Ｅに設置する（図１参照）。
【００５２】
次に、外側サイドローラ２１，２１を突起部Ｗの外側面に接触させる。このとき、外側サイドローラ２１，２１をできるだけ多く突起部Ｗの外側面に接触させることが好ましい。ただし、突起部Ｗの外側面の凹凸形状などの状態は、建物によって異なるものである。この点、本実施形態の移動式足場装置では、外側の脚部材１９，１９を上下動させることで、外側サイドローラ２１，２１を好適な位置に位置させることができるので、外側サイドローラ２１，２１の多くの領域を突起部Ｗの外側面に接触させることができる。
【００５３】
そして、内側サイドローラ２２，２２の位置を調整して、内側サイドローラ２２を突起部Ｗの内側面に接触させる（図１参照）。内側サイドローラ２２，２２については、内側の脚部材２０を上下動させることで、上下方向の位置を調節することができ、位置調節機構２３を用いることで、内外方向（前後方向）の位置を調節することができる。したがって、これらの調節手段を用いることによって、内側サイドローラ２２，２２を好適な位置に位置させることができる。例えば、内側面の高さが低い場合であっても、脚部材２０を内フレーム１４に対して上方に移動させることで、内側サイドローラ２２を内側面の底面に突き当てることなく、内側面に接触させることができる。
【００５４】
このように、内外のサイドローラ２１，２２によって突起部Ｗを挟むようにすると、突起部Ｗの上縁Ｅに沿って走行ユニット１０を移動させるときに、走行ユニット１０の内外方向の位置ずれが防止され、走行ユニット１０を安定した状態で移動させることができる。
【００５５】
次に、ブーム本体４１に、ブーム本体４１から建物Ｂの内方に延在するブーム延長部４２を連結すると共に、ブーム４０のガイド部材５１を建物Ｂに設置する。例えば、本実施形態のように、建物Ｂの屋上部の突起部Ｗに移動式足場装置を設置する場合であれば、屋上の床面にガイド部材５１を設置する。そして、このとき、ガイド部材５１を、走行ユニット１０の移動方向に延伸する状態であって、しかもブーム延長部４２と交差する状態になる位置に設置する。また、ブーム延長部４２とガイド部材５１との交差部に設置されたハンガ５２によってブーム４０とガイド部材５１とを係合する。ハンガ５２は、ガイド部材５１に沿って左右方向に移動自在であり、ブーム延長部４２は、このハンガ５２に内外方向に移動自在な状態で係合している。したがって、走行ユニット１０を走行させると、これに従って、ブーム４０を左右方向に移動させることができる。また、ブーム４０はハンガ５２に対して内外方向に移動自在であるので、仮にガイド部材５１の設置方向が走行ユニット１０の移動方向と完全に一致しておらず、ズレが生じていたとしても、ブーム４０が係合体に対して内外方向に移動することでそのズレを吸収することができるので、ブーム４０を走行ユニット１０の移動方向にスムーズに移動させることができる。
【００５６】
そして、走行用モータ１８および昇降用モータ３２，３２の電源コード（不図示）を所定の電源に接続して、走行ローラ１６，１７およびウインチ３０，３０を動作可能な状態にする。その後、ウインチ３０，３０を作動させてドラム３３，３３から２本のワイヤ３１，３１を繰出し、ワイヤ３１，３１の先端を地上に達するまで降ろす。
【００５７】
また、必要な数のガイドレール６０を用意しておき、用意したガイドレール６０を地上において相互に連結する。
【００５８】
そして、最も上側に位置させるガイドレール６０の引掛け穴６２ａに、ワイヤ３１，３１の先端を引掛ける。なお、ワイヤ３１，３１の先端はフックを備えていたり、リング状であったり、種々の形状を取りうる。この状態でウインチ３０，３０を作動させてワイヤ３１，３１を巻き取り、ガイドレール６０を上方に引き上げる。そして、最も上側のガイドレール６０の上側の連結穴６３ａと、走行ユニット１０の連結穴４８ａとが重なる状態にする（図３参照）。そして、重なった両連結穴４８ａ，６３ａに、図示していない連結ピンを通して、ガイドレール６０を走行ユニット１０のブーム４０に連結する。連結穴４８ａ，６３ａに連結ピンを通す作業は、走行ユニット１０が設置された突起部Ｗの内側であるベランダ等の場所から手を伸ばして行うことができる。走行ユニット１０に連結されたガイドレール６０は重力を受けて鉛直方向に延びる状態になる。
【００５９】
ガイドレール６０のブーム４０への連結が完了すると、次に、走行ユニット１０のユニットフレーム１５に取り付けられたブーム４０の前後方向の位置を定める。ブーム４０には、ガイドレール６０が吊下げられており、ブーム４０を内外方向に移動させると、ガイドレール６０が内外方向に移動する。例えば、図１に示されるように、バケット７０をガイドレール６０の外側に配置させるのであれば、ガイドレール６０が建物Ｂの外壁に近接した位置に配置されるようにブーム４０を位置決めする。なお、図６に示されるように、バケット７０をガイドレール６０よりも建物Ｂ側に配置させてもよい。この場合であれば、バケット７０の外側端が建物Ｂの外壁に近接した位置に配置されるようにブーム４０の位置を位置決めする。そして、ブーム４０の位置を定めると、図示しない固定具によって、ブーム４０を走行ユニット１０のフレームに固定する。
【００６０】
ブーム４０を位置決めすると、ガイドレール６０の引掛け穴６２ａに引掛けられたワイヤ３１，３１を取り外し、ウインチ３０を作動させて、先端が地上に達するまで再び２本のワイヤ３１，３１を繰出す。また、搭乗用のバケット７０を、最も下側に位置するガイドレール６０に取り付ける。そして、バケット７０の各ロックアーム７７，７７に、それぞれ対応するワイヤ３１，３１を連結し、ワイヤ３１，３１に張力が付与される状態になるようにウインチ３０，３０でワイヤ３１，３１を巻き取る。すると、ロックアーム７７，７７が回動してアンロック位置に位置する状態になり、バケット７０を昇降させることができる状態になる。
【００６１】
以上の説明から解るように、本実施形態の移動式足場装置は、簡単に組み立てることができる。なお、本実施形態の移動式足場装置の撤収作業は、ここまでに説明した組み立て作業を逆の順番で実行する作業であるので、ここでは説明を省略する。
【００６２】
このようにして設置された移動式足場装置は、バケット７０に設置されたリモコン３５によって操作されて使用される。例えば、建物Ｂに向かって横方向右側に移動したい場合には作業者はリモコン３５を操作して走行用モータ１８を正転させ、左側に移動したい場合には走行用モータ１８を逆転させるといった操作を行う。そして、上昇移動したい場合にはリモコン３５を操作し、ウインチ３０，３０の昇降用モータ３２，３２を正転させてワイヤ３１，３１を巻き上げ、下降したい場合には昇降用モータ３２，３２を逆転させてワイヤ３１，３１を繰出させるといった操作を行う。
限に抑制される。
【００６３】
そして、このような操作によってバケット７０を所望の位置に位置させて、建物Ｂの外壁に対する作業等を行なう。
【００６４】
例えば、図１に示されるように、ガイドレール６０の外側に配置されたバケット７０に搭乗して作業を行なう場合では、作業者の目前にあるガイドレール６０の棒材６６を取り外す。図５に示されるように、棒材６６はガイドレール６０のレール材６１，６１に対して着脱自在になっており、取り外すことができるようになっている。棒材６６を取り外すと、作業者と建物Ｂの外壁との間の障害物がなくなるので、外壁に対する作業がしやすくなると共に作業効率が向上する。また、外壁などに対する作業を行なう前に、バケット７０の内側板上部７２ｂを建物の外壁側に傾倒させる。すると、内側板上部７２ｂの上端が建物の外壁に当たる状態になる。この状態では、作業中に作業者の手元から落下したごみなどは、傾倒状態にある内側板上部７２ｂに当接してバケット内に回収される。つまり、内側板上部７２ｂを建物側に傾倒させておけば、作業中、バケット下方へのごみなどの落下が確実に防止される。
【００６５】
なお、本実施形態の移動式足場装置では、何らかの原因でワイヤ３１，３１が２本とも切れると、ロックアーム７７，７７は、ばねの付勢力によって、アンロック位置からロック位置に自動的に回動するようになっている。ロック位置に回動したロックアーム７７，７７は、バケット７０の落下時に最初にぶつかる棒材６２，６４，６６に引っ掛かる。これによりバケット７０の落下が停止する。このように、本実施形態のロックアーム７７，７７は、ワイヤ３１，３１が切れたとき、自動的かつ瞬時に、ロック位置に移動してガイドレール６０の棒材６２，６４，６６に引っ掛かるので、バケット７０の落下距離が最小限に抑制される。
【００６６】
次に、別の実施形態の移動式足場装置について説明する。
【００６７】
本実施形態の移動式足場装置は、上記実施形態の移動式足場装置とは、走行ユニット１０の内外方向外側に配置された脚部材１９，１９が異なっている。これ以外の構造は上記実施形態と同じであるので、同じ構成には同一の符号を付し、その説明を省略する。
【００６８】
図７，８に示されるように、本実施形態では、脚部材１９，１９は、左および右フレーム１１，１２の外側面に軸体８１を介して回動可能に取り付けられている。軸体８１の位置は、各脚部材１９，１９の一端側であり、他端側に外側サイドローラ２１，２１が取り付けられている。そして、軸体８１の軸線の向きは、走行ユニット１０の走行方向すなわち左右方向である。したがって、各脚部材１９，１９に取り付けられている外側サイドローラ２１，２１を軸体８１よりも下側に位置させた状態で、脚部材１９，１９の他端側を内外方向内側すなわち建物Ｂ側に回動させると、外側サイドローラ２１，２１を建物Ｂの外壁に接触させることができる。
【００６９】
また、軸体８１に近接する位置には、脚部材１９，１９を固定するための固定機構８２が設けられている。この固定機構８２を用いることで、脚部材１９，１９を左および右フレーム１１，１２に対して傾斜した状態で固定できる。
【００７０】
具体的に説明すると、図９に示されるように、左側の脚部材１９および左フレーム１１には、それぞれ、軸体８１に近接する位置に、前記固定機構８２を構成する係合盤８３，８４が取り付けられている。各係合盤８３，８４は、円盤形状であり、中心部に、軸体８１が挿通される穴８３ａ，８４ａを備えている。そして、各係合盤８３，８４は、その中心が軸体８１上に位置するように配置されている。そして、各係合盤８３，８４は、軸体８１に直交する対向面８３ｂ，８４ｂを備えており、各対向面８３ｂ，８４ｂには凹凸形状が形成されている。この凹凸形状は、噛み合い形状であり、噛み合せることができるようになっている。そして噛み合わせると、両係合盤８３，８４は相互に固定される。
【００７１】
また、左側の脚部材１９は、左フレーム１１に対して軸体８１の回動軸方向に近接離間移動自在に支持されている。したがって、脚部材１９を左フレーム１１から離間させると、両係合盤８３が係合盤８４から離間する。この状態では、脚部材１９は、左フレーム１１に対して回動可能な状態である。なお、脚部材１９は、左フレーム１１の外側面から突出した軸体８１の一端側に取り付けられており、左フレーム１１の内側面から突出した他端側はナット（不図示）を捩じ込むことが可能になっている。したがって、ナットをつけておけば、脚部材１９を左フレーム１１から離間させるように外側に移動させても、軸体８１が左フレーム１１から外れることはない。左フレーム１１から離間させた状態から、脚部材１９を左フレーム１１に接近させていくと、両係合盤８３，８４の対向面８３ｂ，８４ｂどうしが接する状態になる。そして、両係合盤８３，８４の凹凸形状の位置を噛みあい位置にあわせて、さらに脚部材１９を左フレーム１１側に近接移動させると、両係合盤８３，８４が係合する状態になる。この状態になると、脚部材１９は、左フレーム１１に対して固定される。また、この状態で、ナットを左フレーム１１に締め付けると、脚部材１９がフレームにより確実に固定される。このように脚部材１９は、ユニットフレーム１５から離間した離間位置と、左フレーム１１に固定される固定位置との間で、軸体８１の軸方向（左右方向）に移動可能になっている。そして、脚部材１９は、少なくとも固定位置において、左フレーム１１に固定できるようになっている。
【００７２】
図９に示されるように、各係合盤８３，８４の対向面に形成されている凹凸形状は、係合盤８３，８４の中心位置から放射状に延びる凹凸形状である。各凹部の形状どうしおよび凸形状どうしは一致しており、凹部のへこみ形状と、凸部の突出形状も形状が一致している。したがって、どのような組み合わせであっても、凹凸が対応する位置に配置させると、両係合盤を噛み合わせることができる。例えば、各係合盤８３，８４の対向面に３６個の凸部が形成されていれば、脚部材１９を１０°毎に位置決めすることができ、１８０個の凸部が形成されていれば、２°毎に位置決めすることができる。
【００７３】
ここでは、左側の脚部材１９とその固定構造について説明したが、右側の脚部材１９およびその固定構造も、左右対称な構造であること以外は、同様の構造であるので、ここではその詳細な説明を省略する。
【００７４】
このような構造を備える移動式足場装置であれば、図７，８に示されるように、突起部Ｗの外側面が垂直面ではなく傾斜面である場合であっても、走行ユニット１０を安定した状態で突起部Ｗの上縁に設置することができ、走行ユニット１０を安定した状態で走行させることができる。
【００７５】
なお、本実施形態では、左右の両脚部材１９，１９は、それぞれ独立して回動可能な構造になっているが、両脚部材１９，１９を左右方向に延びる連結部材で連結してもよい。このような構造にすると、左右の脚部材１９，１９を一体的に回動させることができる。
【００７６】
そして、上記実施形態では、相互に噛み合う一対の係合盤８３，８４のうち、脚部材１９側の係合盤８３は、軸体８１の一端側に固定された脚部材１９に直接取り付けられているが、これ以外の構造でもよい。たとえば、軸体８１の一端側に筒体を固定し、当該筒体の左フレーム１１側の側面に係合盤８３を取り付け、筒体内に脚部材１９を取り付けるようにしてもよい。このとき、脚部材１９を筒体に対して位置決めするための固定具をさらに設ける。このような構造にすると、脚部材１９を筒体に対して移動させることで、脚部材に取り付けられた外側サイドローラ２１のフレームからの位置を調整することができる。たとえば、脚部材１９を下方に向けている場合であれば、外側サイドローラ２１の上下方向の位置を調整することができる。しかも、筒体および脚部材１９をユニットフレーム１５に対して回動させることができるので、突起部Ｗの外側面が傾斜面であっても対応できる。
【００７７】
さらに別の実施形態の移動式足場装置について説明する。
【００７８】
本実施形態の移動式足場装置は、次の点で、上記実施形態の移動式足場装置と構造が異なっている。つまり、ワイヤ３１のバケット７０への連結構造と、建物Ｂに設置されたガイド部材５１に係合するハンガ５２のブーム延長部４２への取付構造と、ブーム本体左部および右部４１ａ，４１ｂの先端側の構造と、走行ユニット１０の内外方向外側に配置された脚部材１９，１９の構造とが異なっている。これら以外の構造は、上記実施形態と同じであるので、同じ構成には同一の符号を付し、その説明を省略する。
【００７９】
図１３に示されるように、本実施形態では、ワイヤ３１は、ワイヤ固定用の金具３６を介してバケット７０に連結されている。ただし、上記実施形態（図１等参照）で用いられているロックアーム７７を用いるようにしてもよい。
【００８０】
そして、図１３に示されるように、本実施形態では、建物Ｂの屋上に設置されているガイド部材５１が建物Ｂの外壁に近い位置に設置されていると共に、ガイド部材５１がブーム４０の長さが短くなっている。そして、ブーム４０の後端部に、ガイド部材５１に係合されたローラ５２ａ，５２ａを支持するハンガ５２が取り付けられている。ただし、上記実施形態（図１等参照）で用いられているブーム４０やガイド部材５１を用いるようにしてもよい。
【００８１】
また、図１３に示されるように、ブーム本体左部および右部４１ａ，４１ｂ（左部４１ａのみ図示）の先端部には、それぞれ、上記実施形態と同様に、２つのプーリ４５，４６が取り付けられており、連結金具４８を介してガイドレール６０が連結されている。
【００８２】
そして、本実施形態では、ブーム本体左部および右部４１ａ，４１ｂの複数箇所に連結金具４８が取り付けられており、当該取付金具４８にガイドレール６０の金具６３を連結できるようになっている。具体的に説明すると、連結金具４８は、２つのプーリ４５，４６よりも走行ユニット１０の左右フレーム１１，１２側の位置（図１３参照）と、ブーム本体左部および右部４１ａ，４１ｂの先端位置（図１４参照）に取り付けられている。さらに、連結金具４８は、左および右フレーム１１，１２の先端側の位置（図１５参照）にも取り付けられている。
【００８３】
図１３に示される位置にガイドレール６０を連結する場合、ワイヤ３１を外側の第１プーリ４５の外側に掛け回す。このようにすると、ガイドレール６０の外側に配置されたバケット７０を吊り下げ支持することができる。そして、図１４に示される位置にガイドレール６０を連結する場合、ワイヤ３１を、まず第１プーリ４５に上方から外側に掛けまわし、第１プーリ４５と内側の第２プーリ４６との間を通して第２プーリ４６の上側に掛け回し、第２プーリ４６の内側端から下方に下げるようにする。このようにすると、ガイドレール６０の内側に配置されたバケット７０を吊り下げ支持することができる。そして、図１５に示される位置にガイドレール６０を連結する場合、ワイヤ３１を、内側のプーリ４５の外側に掛けまわし、内側のプーリ４６の外側端から下方に下げるようにする。このようにすると、ガイドレール６０の外側に配置されたバケット７０を吊り下げ支持することができる。
【００８４】
また、図１３に示されるように、本実施形態では、脚部材（左側脚部材のみ図示）１９，１９は、左および右フレーム１１，１２の外側面に回動支持部（左側のみ図示）８５，８５を介して回動可能に取り付けられている。図１３に示されるように、回動支持部８５は、ブーム本体左部４１ａの外側に設置されたベースプレート８６と、当該プレート８６に取り付けられる外形が円形の丸プレート８７とを備えており、当該丸プレート８７に脚部材１９が取り付けられている。なお、脚部材１９に取り付けられている外側サイドローラ２１およびこれを支持する構造は、上記実施形態で用いられているものと同様であるので、ここでは、説明を省略する。
【００８５】
図１６に示されるように、ベースプレート８６には、丸プレート８７の固定に用いられる一対の長穴８６ａ，８６ａと、脚部材１９の回転中心位置の固定に用いられる軸穴８６ｂと、脚部材１９を傾斜した状態で固定するための一対の円弧形状のガイド穴８６ｃ，８６ｃとが形成されている。そして、丸プレート８７には、丸プレート８７の固定に用いられる多数の固定用穴８７ａと、脚部材１９の回転中心位置の固定に用いられる軸穴８７ｂと、脚部材１９を傾斜した状態で固定するための一対の円弧形状のガイド穴８７ｃとが形成されている。また、脚部材１９には、その回転中心位置に軸穴１９ａと、脚部材１９を傾斜した状態で固定するための一対の固定用穴１９ｂとが形成されている。
【００８６】
丸プレート８７は、丸プレート８７の固定用穴８７ａと、ベースプレート８６の長穴８６ａに通されたボルト８８ａおよびナット（不図示）によってベースプレート８６に固定されている。このとき、ベースプレート８６の軸穴８６ｂと、丸プレート８７の軸穴８７ｂとは重なっており、丸プレート８７の円弧形状のガイド穴８７ｃはベースプレート８６の円弧形状のガイド穴８６ｃの外側に重なっている。この状態で、軸穴８６ｂ、８７ｂの上に脚部材１９の軸穴１９ａを重ね、全軸穴にボルト８８ｂを通し、当該ボルト８８ｂおよびナット（不図示）で脚部材１９をベースプレート８６および丸プレート８７に取り付ける。また、重なった円弧形状のガイド穴８６ｃ，８７ｃに脚部材１９の固定用穴１９ｂを重ね、両ガイド穴にボルト８８ｃを通し、当該ボルト８８ｃおよびナット（不図示）で脚部材１９を垂直下方に向けた状態または傾斜させた状態に固定する。
【００８７】
このように、脚部材１９の固定に用いられるガイド穴８６ｃ，８７ｃは、円弧形状になっているので、ガイド穴８６ｃ，８７ｃと脚部材１９の固定用穴１９ｂとが重なる範囲内において、任意の傾斜角度に傾斜させた状態で脚部材１９をベースプレート８６および丸プレート８７に固定できる。
【００８８】
また、丸プレート８７には、丸プレート８７の中心からの距離が異なる複数種類の固定用穴８７ａが形成されている。より具体的には、丸プレート８７の外周寄りの位置に形成された外周側固定用穴と、丸プレート８７の中心寄りの位置に形成された中心側固定用穴とが形成されている。上述したように、ベースプレート８６には、丸プレート８７を固定するための穴として長穴８６ａ，８６ａが形成されており、外周側固定用穴および中心側固定用穴は、いずれも、長穴８６ａに重ねることができる位置に形成されている。つまり、各固定用穴８７ａは、いずれも、丸プレート８７の固定用に用いることができるものである。いずれの固定用穴８７ａを長穴８６ａに重ねて丸プレート８７の固定に用いるかによって、丸プレート８７の回転位置を設定することができる。
【００８９】
そして、いずれの固定用穴８７ａを選択するかによって丸プレート８７の回転位置の設定を変更すると、丸プレート８７に形成されている円弧形状のガイド穴８７ｃの位置を変更することができる。円弧形状のガイド穴８７ｃの位置が変更されると、脚部材１９の傾斜角度の角度調整可能範囲が変更される。このように、丸プレート８７を固定するための固定用穴８７ａを複数設けると、固定に用いる固定用穴８７ａを選択することによって、ガイド穴８７ｃの位置を変更することができ、全体として脚部材１９の傾斜角度の設定可能範囲を拡大することができる。
【００９０】
また、脚部材１９，１９の構造としては、図１７に示されるような構造でもよい。
【００９１】
図１７に示されるように、脚部材（左側脚部材のみ図示）１９，１９の回動支持部８５は、ブーム本体左部４１ａの外側に設置されたベースプレート８６と、当該プレート８６に取り付けられる外形が円形の丸プレート８７とを備えており、当該丸プレート８７に脚部材１９が取り付けられている。なお、図１６に示される脚部材１９と同様の構造については、ここでは、その説明を省略する。
【００９２】
図１７に示されるように、ベースプレート８６には、脚部材側の丸プレート８７の固定に用いられる一対の円弧形状のガイド穴８６ｃ，８６ｃおよび多数の固定用穴８６ｄが形成されている。また、丸プレート８７には、ベースプレート８６への固定に用いられる一対の長穴８７ｄが形成されている。
【００９３】
そして、丸プレート８７は、固定用穴８６ｄおよび長穴８７ｄに挿通されたボルト８８ａおよびナット（不図示）と、ガイド穴８６ｃ，８６ｃに挿通されたボルト８８ｃおよびナット（不図示）によって、図示されていないナットを用いてベースプレート８６に固定されている。
【００９４】
固定位置を決定または変更する場合は、ボルト８８ｃだけがガイド穴８６ｃ，８６ｃに挿通されており、ボルト８８ａは固定用穴８６ｄおよび長穴８７ｄに挿通されていない状態にする。そして、ボルト８８ｃとナットとの締め付けを緩めると、丸プレート８７をベースプレート８６に対して回転させることができる状態になる。この状態で、丸プレート８７を回転させて、丸プレート８７の長穴８７ｄをベースプレート８６のいずれかの固定用穴８６ｄの位置に合わせる。なお、各固定用穴８６ｄの丸プレート回転中心からの距離は一定ではないが、丸プレート８７側の穴が長穴であるので、長穴８７をいずれの固定用穴８６ｄにも連通させることができる。
【００９５】
そして、連通された状態の長穴８７ｄと固定用穴８６ｄにボルト８８ａを挿通させて締め付けると、丸プレート８７がベースプレート８６に固定され、脚部材１９が所定の向きに固定される。図１７に示される状態は、脚部材１９が垂直下方に延伸する状態であるが、長穴８７ｄの位置を別の固定用穴８６ｄに合わせてボルト８８ａで締め付け固定することによって、脚部材１９を傾斜する状態に固定することができる。
【００９６】
なお、この実施形態の移動式足場装置では、脚部材１９を角度変更可能に支持するために、ベースプレート８６および丸プレート８７を用いる構造を採用したが、脚部材を角度変更可能に支持する構成は種々考えられる。たとえば、丸プレート８７を用いることなく、脚部材１９を直接ベースプレート８６に取り付ける構造を採用してもよい。
【００９７】
また、本発明に係る移動式足場装置の構成は、上記実施形態の移動式足場装置に限られるものではなく、発明の趣旨の範囲で、種々の改変が可能である。
【００９８】
たとえば、上記第１実施形態では、走行ローラ１６，１７は、左および右フレーム１１，１２に固定されているが、上下動自在に固定してもよい。このような構造にすると、走行ユニット１０を設置する突起部Ｗが傾斜している場合、左右の走行ローラ１６，１７の高さ位置を調節することで、フレームを水平に保持した状態で、走行ユニット１０を突起部の上縁に設置することができる。
【００９９】
また、上記第１実施形態では、内側サイドローラ２２，２２だけが位置調節機構２３を介して脚部材２０，２０に取り付けているが、この構成に限られるものではない。たとえば、外側サイドローラ２１，２１を、位置調節機構を介して脚部材１９，１９に取り付けるようにしてもよい。このような構造にすると、外側サイドローラ２１，２１の位置を、位置調節機構を用いて調整することができる。外側サイドローラ２１，２１の位置を調節できれば、走行ユニット１０を、前後バランスがより良好な状態になるように、走行ユニット１０の前後方向の位置を調節することができる。
【０１００】
また、上記第２実施形態では、軸体８１の他端側は、ナットの捩じ込みが可能な構造になっている。ただし、軸体８１の他端側の構造としては、たとえば、軸体８１の他端を左フレーム１１の内側面から離間させる方向に付勢する力を軸体８１に付与する弾性体を取り付けるようにしてもよい。
【０１０１】
たとえば、左フレーム１１の内側面から内側に突出した軸体８１部分に、コイルばねを外挿すると共に、当該コイルばねが外れることを防止する止め具を軸体８１の内側端部に取り付けるような構造を挙げることができる。このような構造にすれば、軸体８１の一端側に取り付けられた脚部材１９を、コイルばねの付勢力に抗して軸方向外側に引っ張ることで、簡単に脚部材１９を離間位置に移動させることができる。そして、引っ張りを解除すると、コイルばねの付勢力によって、脚部材１９が固定位置側に移動される。ここで、左フレーム１１および左側の脚部材１９に取り付けられた係合盤８３の凹凸を噛み合い位置に合わせると、コイルばねの付勢力によって、両係合盤８３，８４が噛み合う状態になり、脚部材１９が、コイルばねの付勢力によって固定位置に保持される。
【０１０２】
また、上記実施形態では、バケット７０の昇降を案内する部材はガイドレール６０だけであるが、このほかの部材を設けてもよい。
【０１０３】
たとえば、図１０および図１１に示されるように、バケット７０を案内する部材として、上端がブーム４０の係止部４９，４９に係止されており、下端が地上に達するガイド用のワイヤ９１，９１を用いてもよい。ガイド用ワイヤ９１，９１の下端は、地上の所定位置に設置された錘であるアンカー９２，９２に連結されている。ガイド用ワイヤ９１，９１の長さは、アンカー９２，９２に締結した状態で、できるだけ弛みが生じずしかもアンカー９２，９２が宙に浮かない状態に設定されている。したがって、風が吹いたとしても、ワイヤ９１，９１が大きく移動することはない。
【０１０４】
そして、図１２に示されるように、このガイド用ワイヤ９１，９１を用いる場合は、バケット７０にガイド用ワイヤ９１，９１を挿通させるためのリング形状のワイヤ挿通部７８，７８を設ける。そして、ガイド用ワイヤ９１，９１をワイヤ挿通部７８，７８に挿通させる。
【０１０５】
このような構成にすると、ガイド用ワイヤ９１，９１によっても、バケット７０の揺れを防止することができる。特に、図１０に示されるように、吊下げたガイドレール６０の最下端位置Ｌよりもさらに下方にバケット７０を移動させたとき、ガイド用ワイヤ９１，９１があれば、ガイド用ワイヤ９１，９１によってバケット７０の揺れが防止され、バケット搭乗者の作業性を向上させることができる。
【０１０６】
なお、ブーム４０に吊下げるガイドレール６０の数については、適宜選択することができる。したがって、ガイドレール６０の最下端位置Ｌ地上付近に達する状態になるまでガイドレール６０を吊下げておけば、バケット７０をどの位置で昇降させてもガイドレール６０によってバケット７０をガイドすることができる。
【０１０７】
ただし、移動式足場装置の設置位置が高い位置である場合に、地上位置付近までガイドレール６０を吊下げると、ブーム４０に吊下げられるガイドレール６０の総重量が大きくなる。そうすると、装置バランス上、バケット７０に搭乗または搭載できる重量の上限が軽くなる。バケット７０に搭乗または搭載できる重量が軽くなると、作業上必要な資材を搭載できなくなったり、資材補給のためのバケット昇降回数が増えたりして、作業性が低下するおそれがある。この点、ガイド用ワイヤ９１，９１はガイドレール６０に比べて極めて軽量である。したがって、これを用いれば、ブーム４０にかかる吊下げ重量負担を小さくすることができる。また、ガイド用ワイヤ９１，９１によってバケット７０の揺れを防止する領域は、ガイドレール６０の最下端位置Ｌよりも下方位置である。つまり、ガイド用ワイヤ９１，９１によってバケット７０の揺れを防止する領域は、比較的低層の領域に限定されているので、ガイド用ワイヤ９１，９１によって効果的にバケット７０の揺れを防止することができる。
【０１０８】
また、上記実施形態では、ガイドレール６０は、ブーム４０に設けられた連結金具４８に左右揺動可能な状態で取り付けられているが、左右揺動だけでなく、前後揺動可能なものでもよい。
【０１０９】
たとえば、図１８に示される梯子形状のガイドレール６０では、横方向に延びる複数本の棒材のうち、最上方に配置される棒材６２がブッシュ９４を介して回動自在に両側のレール材６１に取り付けられている。ブッシュ９４はフランジ部９４ａを備えており、フランジ部９４ａが各レール材６１の内側面６１ａに当接する状態で取り付けられている。また、棒材６２の両端部には、ボルト締結穴９３ａが形成されており、棒材９３の両端に固定用プレート９５を当接させた状態でボルト９６を締結することにより、ガイドレール６０に取り付けられるようになっている。なお、棒材６２には、ブッシュ９４の内側方向への移動を阻止する突起９７が形成されている。これにより、ブッシュ９４がレール材６１から外れることが防止される。このような構造のガイドレール６０は、ブーム４０に取り付けた状態で、左右揺動だけでなく、前後揺動できるので、金具６３に無理な力がかかることが防止される。
【図面の簡単な説明】
【０１１０】
【図１】本発明に係る実施形態の移動式足場装置を示す側面図である。
【図２】図１の移動式足場装置の走行ユニットを示す平面図である。
【図３】図１の移動式足場装置の走行ユニットを示す正面図である。
【図４】図１の移動式足場装置の設置状態を示す平面図である。
【図５】（ａ）は、移動式足場装置のガイドレールを示す正面図であり、（ｂ）は、棒材の取付状態を説明するための説明斜視図である。
【図６】図１の移動式足場装置の別の設置状態を示す側面図である。
【図７】本発明に係る移動式足場装置の別実施形態を示す平面図である。
【図８】図８の移動式足場装置を示す側面図である。
【図９】図８の移動式足場装置の要部を説明するための説明斜視図である。
【図１０】本発明に係る移動式足場装置のさらに別の実施形態を示す正面図である。
【図１１】図１０のＸ−Ｘ面を示す部分平面図である。
【図１２】図１０のＹ−Ｙ面を示す平面断面図である。
【図１３】本発明に係る移動式足場装置のさらに別の実施形態を示す側面図である。
【図１４】図１３とは異なるワイヤの掛けまわし状態を示す側面図である。
【図１５】図１３とはさらに異なるワイヤの掛けまわし状態を示す側面図である。
【図１６】（ａ）は、上記実施形態とは異なる脚部材の支持構を示す側面図であり、（ｂ）は、脚部材の回動支持部のベースプレートから丸プレートを外した状態を示す側面図である。
【図１７】上記実施形態とは異なる別の脚部材について、回動支持部のベースプレートから丸プレートを外した状態を示す側面図である。
【図１８】ガイドレールの別実施形態を示す正面図である。
【符号の説明】
【０１１１】
１０  走行ユニット
１５  ユニットフレーム
１６，１７  走行ローラ
１９，２０  脚部材
２１  外側サイドローラ
２２  内側サイドローラ
３０  ウインチ
３１  ワイヤ
４０  ブーム
４１  ブーム本体
４２  ブーム延長部
６０  ガイドレール
７０  バケット
８１  軸体
８３，８４  係合盤
９１，９１  ガイド用ワイヤ
９２，９２  アンカー
Ｂ  建物
Ｅ  突起部上縁
Ｗ  突起部
【図１】
2008088765.tif 000003
【図２】
2008088765.tif 000004
【図３】
2008088765.tif 000005
【図４】
2008088765.tif 000006
【図５】
2008088765.tif 000007
【図６】
2008088765.tif 000008
【図７】
2008088765.tif 000009
【図８】
2008088765.tif 000010
【図９】
2008088765.tif 000011
【図１０】
2008088765.tif 000012
【図１１】
2008088765.tif 000013
【図１２】
2008088765.tif 000014
【図１３】
2008088765.tif 000015
【図１４】
2008088765.tif 000016
【図１５】
2008088765.tif 000017
【図１６】
2008088765.tif 000018
【図１７】
2008088765.tif 000019
【図１８】
2008088765.tif 000020
【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
建物の突起部の上縁に、当該上縁の延在方向に沿って移動可能な状態で設置される走行ユニットと、
走行ユニットに連結されており、当該走行ユニットから下方に延びる状態で設置されるガイドレールと、
ガイドレールに昇降可能に取り付けられた搭乗用のバケットと、
走行ユニットに設置されたウインチと、
一端側がウインチに巻回されており、他端側がバケットに連結されるワイヤと、を有し、
ウインチでワイヤを巻取りあるいは繰出すことによってバケットを昇降させる移動式足場装置であって、
前記走行ユニットは、前記突起部の上縁表面に、前記延在方向に沿って転がり可能な状態で接触する複数の上縁走行ローラと、前記突起部の建物外側表面に、前記延在方向に沿って転がり可能な状態で接触する外側サイドローラと、前記突起部の建物内側表面に、前記延在方向に沿って転がり可能な状態で接触する内側サイドローラとを備えており、
前記内側サイドローラは、上下動自在な状態で前記走行ユニットのユニット本体に設置されている移動式足場装置。
【請求項２】
前記外側サイドローラは、上下動自在な状態で前記走行ユニットのユニット本体に設置されている請求項１に記載の移動式足場装置。
【請求項３】
前記外側サイドローラは、前記ユニット本体に揺動自在に設置された揺動アームに取り付けられている請求項１に記載の移動式足場装置。
【請求項４】
前記走行ユニットは、前記建物の外方に先端が突出するブームを備えており、
当該ブームは、ブーム延在方向に沿って進退移動自在であると共に、前記ワイヤが掛けられるプーリを備えており、
前記ガイドレールは、前記ブームに吊下げ状態で連結されており、
ブームを進退移動させると、当該ブームに取り付けられたプーリが進退移動して前記バケットおよびガイドレールの吊下げ位置が前記建物に対して近接離間移動する、請求項１から請求項３のいずれか一項に記載の移動式足場装置。
【請求項５】
前記ブームは、前記ガイドレールとの連結位置より先端側に取り付けられた先端側プーリと、連結位置よりも後端側に取り付けられた後端側プーリを備えており、
前記ワイヤは、いずれかのプーリに掛けられた状態で用いられるようになっており、
前記バケットは、前記ガイドレールの建物離間側に配置された状態で前記ガイドレールに昇降自在に取付可能であると共に、ガイドレールの建物近接側に配置された状態でガイドレールに昇降自在に取付可能であり、
前記建物離間側に配置されたバケットを前記先端側プーリに掛けられたワイヤによって昇降させ、前記建物近接側に配置されたバケットを前記後端側プーリに掛けられたワイヤによって昇降させる請求項４に記載の移動式足場装置。
【請求項６】
前記バケットは、前記ガイドレールに近接する側に内側板を備えていると共にガイドレールから離間する側に外側板を備えており、
内側板は、その上端部をバケットから離間する側に傾倒できるように、その下端部で回動自在に軸支されており、
外側板は、その上端部をバケットから離間する側に傾倒できるように、その下端部で回動自在に軸支されている、請求項５に記載の移動式足場装置。
【請求項７】
前記ブームは、前記建物の内方に延在する延長部を備えるものであり、
前記走行ユニットの移動方向に延伸する状態であり、かつブームの延長部と交差する状態で、ブームのガイド部材を建物に設置し、
ブームの延長部とガイド部材との交差部に、ブームおよびガイド部材に係合しており、かつ、走行ユニットの移動方向に移動するブームをガイド部材の延伸方向に案内するガイド部材が設置されている、請求項４から請求項６のいずれか一項に記載の移動式足場装置。
【手続補正２】
【補正対象書類名】明細書
【補正対象項目名】０００６
【補正方法】変更
【補正の内容】
【０００６】
上記課題を解決するため、本発明は、建物の突起部の上縁に、当該上縁の延在方向に沿って移動可能な状態で設置される走行ユニットと、走行ユニットに連結されており、当該走行ユニットから下方に延びる状態で設置されるガイドレールと、ガイドレールに昇降可能に取り付けられた搭乗用のバケットと、走行ユニットに設置されたウインチと、一端側がウインチに巻回されており、他端側がバケットに連結されるワイヤと、を有し、ウインチでワイヤを巻取りあるいは繰出すことによってバケットを昇降させる移動式足場装置であって、前記走行ユニットは、前記突起部の上縁表面に、前記延在方向に沿って転がり可能な状態で接触する複数の上縁走行ローラと、前記突起部の建物外側表面に、前記延在方向に沿って転がり可能な状態で接触する外側サイドローラと、前記突起部の建物内側表面に、前記延在方向に沿って転がり可能な状態で接触する内側サイドローラとを備えており、前記内側サイドローラは、上下動自在な状態で前記走行ユニットのユニット本体に設置されている移動式足場装置である。
【手続補正３】
【補正対象書類名】明細書
【補正対象項目名】０００７
【補正方法】変更
【補正の内容】
【０００７】
請求項２に記載の発明は、請求項１に記載の移動式足場装置であって、前記外側サイドローラは、上下動自在な状態で前記走行ユニットのユニット本体に設置されているものである。
【手続補正４】
【補正対象書類名】明細書
【補正対象項目名】０００８
【補正方法】変更
【補正の内容】
【０００８】
請求項３に記載の発明は、請求項１に記載の移動式足場装置であって、前記外側サイドローラは、前記ユニット本体に揺動自在に設置された揺動アームに取り付けられているものである。
【手続補正５】
【補正対象書類名】明細書
【補正対象項目名】００１３
【補正方法】変更
【補正の内容】
【００１３】
請求項１に記載の発明では、建物の突起部の上縁に走行ユニットを設置したときに当該突起部の建物内側表面に接する内側サイドローラは、上下動自在な状態で前記走行ユニットのユニット本体に設置されている。走行ユニットの設置先である建物の突起部は、多種多様な形状であり、突起部の建物内側表面の高さ寸法が小さい場合、すなわち突起部の建物内側の底面から突起部の上縁までの高さが低い場合がある。建物内側表面の高さが低いと、内側サイドローラの下端部が建物内側の底面などに突き当たって、突起部に走行ユニットを安定した状態で設置できないことがある。この点、本発明によれば、内側サイドローラを上下動させることができるので、内側サイドローラを、建物内側の底面などに突き当てることなく、建物内側表面に接触させることができ、走行ユニットを安定した状態で建物の突起部に設置することができる。
【手続補正６】
【補正対象書類名】明細書
【補正対象項目名】００１４
【補正方法】変更
【補正の内容】
【００１４】
請求項２に記載の発明では、前記外側サイドローラは、上下動自在な状態で前記走行ユニットのユニット本体に設置されている。走行ユニットの設置先である建物の突起部にあっては、突起部の建物外側表面に凹凸などがある場合がある。外側サイドローラの当接位置に凹凸があると、外側サイドローラを突起部の建物外側表面に安定した状態で当接させることができず、外側サイドローラが安定した状態で転動しないおそれがある。この点、本発明によれば、外側サイドローラを上下動させることができるので、外側サイドローラを安定した状態で転動できる位置に当接させることができ、突起部に設置した走行ユニットを安定した状態で走行させることができる。
【手続補正７】
【補正対象書類名】明細書
【補正対象項目名】００１５
【補正方法】変更
【補正の内容】
【００１５】
請求項３に記載の発明では、前記外側サイドローラは、前記ユニット本体に揺動自在に設置された揺動アームに取り付けられている。走行ユニットの設置先である建物の突起部にあっては、突起部の上縁に連なる建物外側表面が垂直面ではなく、傾斜面である場合がある。突起部の上縁に傾斜面である建物外側表面が連なっている場合、垂直方向に延伸する回転軸に軸支されている外側サイドローラを外側表面に当接させることができないことがある。この点、本発明によれば、外側サイドローラを支持する揺動アームを揺動させることよって外側サイドローラを傾斜状態にすることができ、外側サイドローラを傾斜面である建物外側表面に接触させることができる。外側サイドローラを建物外側表面に接触させることができれば、走行ユニットを安定した状態で走行させることができる。
【手続補正書】
【提出日】平成19年4月12日(2007.4.12)
【手続補正１】
【補正対象書類名】特許請求の範囲
【補正対象項目名】全文
【補正方法】変更
【補正の内容】
【特許請求の範囲】
【請求項１】
建物の突起部の上縁に、当該上縁の延在方向に沿って移動可能な状態で設置される走行ユニットと、
走行ユニットに連結されており、当該走行ユニットから下方に延びる状態で設置されるガイドレールと、
ガイドレールに昇降可能に取り付けられた搭乗用のバケットと、
走行ユニットに設置されたウインチと、
一端側がウインチに巻回されており、他端側がバケットに連結されるワイヤと、を有し、
ウインチでワイヤを巻取りあるいは繰出すことによってバケットを昇降させる移動式足場装置であって、
前記走行ユニットは、前記突起部の上縁表面に、前記延在方向に沿って転がり可能な状態で接触する複数の上縁走行ローラと、前記突起部の建物外側表面に、前記延在方向に沿って転がり可能な状態で接触する外側サイドローラと、前記突起部の建物内側表面に、前記延在方向に沿って転がり可能な状態で接触する内側サイドローラとを備えており、
前記内側サイドローラは、上下動自在な状態で前記走行ユニットのユニット本体に設置され、
前記外側サイドローラは、前記ユニット本体に揺動自在に設置された揺動アームに取り付けられている移動式足場装置。
【請求項２】
前記外側サイドローラは、上下動自在な状態で前記走行ユニットのユニット本体に設置されている請求項１に記載の移動式足場装置。
【請求項３】
建物の突起部の上縁に、当該上縁の延在方向に沿って移動可能な状態で設置される走行ユニットと、
走行ユニットに連結されており、当該走行ユニットから下方に延びる状態で設置されるガイドレールと、
ガイドレールに昇降可能に取り付けられた搭乗用のバケットと、
走行ユニットに設置されたウインチと、
一端側がウインチに巻回されており、他端側がバケットに連結されるワイヤと、を有し、
ウインチでワイヤを巻取りあるいは繰出すことによってバケットを昇降させる移動式足場装置であって、
前記走行ユニットは、前記突起部の上縁表面に、前記延在方向に沿って転がり可能な状態で接触する複数の上縁走行ローラと、前記突起部の建物外側表面に、前記延在方向に沿って転がり可能な状態で接触する外側サイドローラと、前記突起部の建物内側表面に、前記延在方向に沿って転がり可能な状態で接触する内側サイドローラとを備えており、
前記内側サイドローラは、上下動自在な状態で前記走行ユニットのユニット本体に設置されており、
前記走行ユニットは、前記建物の外方に先端が突出するブームを備えており、
当該ブームは、ブーム延在方向に沿って進退移動自在であると共に、前記ガイドレールとの連結位置より先端側に取り付けられた先端側プーリと、連結位置よりも後端側に取り付けられた後端側プーリを備えており、
前記ワイヤは、いずれかのプーリに掛けられた状態で用いられるようになっており、
前記ガイドレールは、前記ブームに吊下げ状態で連結されており、
前記ブームを進退移動させると、当該ブームに取り付けられたプーリが進退移動して前記バケットおよびガイドレールの吊下げ位置が前記建物に対して近接離間移動するものであり、
前記バケットは、前記ガイドレールの建物離間側に配置された状態で前記ガイドレールに昇降自在に取付可能であると共に、ガイドレールの建物近接側に配置された状態でガイドレールに昇降自在に取付可能であり、
前記建物離間側に配置されたバケットを前記先端側プーリに掛けられたワイヤによって昇降させ、前記建物近接側に配置されたバケットを前記後端側プーリに掛けられたワイヤによって昇降させる移動式足場装置。
【請求項４】
前記バケットは、前記ガイドレールに近接する側に内側板を備えていると共にガイドレールから離間する側に外側板を備えており、
内側板は、その上端部をバケットから離間する側に傾倒できるように、その下端部で回動自在に軸支されており、
外側板は、その上端部をバケットから離間する側に傾倒できるように、その下端部で回動自在に軸支されている、請求項３に記載の移動式足場装置。
【請求項５】
前記ブームは、前記建物の内方に延在する延長部を備えるものであり、
前記走行ユニットの移動方向に延伸する状態であり、かつブームの延長部と交差する状態で、ブームのガイド部材を建物に設置し、
ブームの延長部とガイド部材との交差部に、ブームおよびガイド部材に係合しており、かつ、走行ユニットの移動方向に移動するブームをガイド部材の延伸方向に案内するガイド部材が設置されている、請求項３又は請求項４に記載の移動式足場装置。
【手続補正２】
【補正対象書類名】明細書
【補正対象項目名】０００６
【補正方法】変更
【補正の内容】
【０００６】
上記課題を解決するため、本発明は、建物の突起部の上縁に、当該上縁の延在方向に沿って移動可能な状態で設置される走行ユニットと、走行ユニットに連結されており、当該走行ユニットから下方に延びる状態で設置されるガイドレールと、ガイドレールに昇降可能に取り付けられた搭乗用のバケットと、走行ユニットに設置されたウインチと、一端側がウインチに巻回されており、他端側がバケットに連結されるワイヤと、を有し、ウインチでワイヤを巻取りあるいは繰出すことによってバケットを昇降させる移動式足場装置であって、前記走行ユニットは、前記突起部の上縁表面に、前記延在方向に沿って転がり可能な状態で接触する複数の上縁走行ローラと、前記突起部の建物外側表面に、前記延在方向に沿って転がり可能な状態で接触する外側サイドローラと、前記突起部の建物内側表面に、前記延在方向に沿って転がり可能な状態で接触する内側サイドローラとを備えており、前記内側サイドローラは、上下動自在な状態で前記走行ユニットのユニット本体に設置され、前記外側サイドローラは、前記ユニット本体に揺動自在に設置された揺動アームに取り付けられている移動式足場装置である。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
請求項３に記載の発明は、建物の突起部の上縁に、当該上縁の延在方向に沿って移動可能な状態で設置される走行ユニットと、走行ユニットに連結されており、当該走行ユニットから下方に延びる状態で設置されるガイドレールと、ガイドレールに昇降可能に取り付けられた搭乗用のバケットと、走行ユニットに設置されたウインチと、一端側がウインチに巻回されており、他端側がバケットに連結されるワイヤと、を有し、ウインチでワイヤを巻取りあるいは繰出すことによってバケットを昇降させる移動式足場装置であって、前記走行ユニットは、前記突起部の上縁表面に、前記延在方向に沿って転がり可能な状態で接触する複数の上縁走行ローラと、前記突起部の建物外側表面に、前記延在方向に沿って転がり可能な状態で接触する外側サイドローラと、前記突起部の建物内側表面に、前記延在方向に沿って転がり可能な状態で接触する内側サイドローラとを備えており、前記内側サイドローラは、上下動自在な状態で前記走行ユニットのユニット本体に設置されており、前記走行ユニットは、前記建物の外方に先端が突出するブームを備えており、当該ブームは、ブーム延在方向に沿って進退移動自在であると共に、前記ガイドレールとの連結位置より先端側に取り付けられた先端側プーリと、連結位置よりも後端側に取り付けられた後端側プーリを備えており、前記ワイヤは、いずれかのプーリに掛けられた状態で用いられるようになっており、前記ガイドレールは、前記ブームに吊下げ状態で連結されており、前記ブームを進退移動させると、当該ブームに取り付けられたプーリが進退移動して前記バケットおよびガイドレールの吊下げ位置が前記建物に対して近接離間移動するものであり、前記バケットは、前記ガイドレールの建物離間側に配置された状態で前記ガイドレールに昇降自在に取付可能であると共に、ガイドレールの建物近接側に配置された状態でガイドレールに昇降自在に取付可能であり、前記建物離間側に配置されたバケットを前記先端側プーリに掛けられたワイヤによって昇降させ、前記建物近接側に配置されたバケットを前記後端側プーリに掛けられたワイヤによって昇降させる移動式足場装置である。
【手続補正６】
【補正対象書類名】明細書
【補正対象項目名】００１１
【補正方法】変更
【補正の内容】
【００１１】
請求項４は、請求項３に記載の移動式足場装置であって、前記バケットは、前記ガイドレールに近接する側に内側板を備えていると共にガイドレールから離間する側に外側板を備えており、内側板は、その上端部をバケットから離間する側に傾倒できるように、その下端部で回動自在に軸支されており、外側板は、その上端部をバケットから離間する側に傾倒できるように、その下端部で回動自在に軸支されているものである。
【手続補正７】
【補正対象書類名】明細書
【補正対象項目名】００１２
【補正方法】変更
【補正の内容】
【００１２】
請求項５は、請求項３又は請求項４に記載の移動式足場装置であって、前記ブームは、前記建物の内方に延在する延長部を備えるものであり、前記走行ユニットの移動方向に延伸する状態であり、かつブームの延長部と交差する状態で、ブームのガイド部材を建物に設置し、ブームの延長部とガイド部材との交差部に、ブームおよびガイド部材に係合しており、かつ、走行ユニットの移動方向に移動するブームをガイド部材の延伸方向に案内するガイド部材が設置されているものである。
【手続補正８】
【補正対象書類名】明細書
【補正対象項目名】００１３
【補正方法】変更
【補正の内容】
【００１３】
請求項１に記載の発明では、建物の突起部の上縁に走行ユニットを設置したときに当該突起部の建物内側表面に接する内側サイドローラは、上下動自在な状態で前記走行ユニットのユニット本体に設置されている。走行ユニットの設置先である建物の突起部は、多種多様な形状であり、突起部の建物内側表面の高さ寸法が小さい場合、すなわち突起部の建物内側の底面から突起部の上縁までの高さが低い場合がある。建物内側表面の高さが低いと、内側サイドローラの下端部が建物内側の底面などに突き当たって、突起部に走行ユニットを安定した状態で設置できないことがある。この点、本発明によれば、内側サイドローラを上下動させることができるので、内側サイドローラを、建物内側の底面などに突き当てることなく、建物内側表面に接触させることができ、走行ユニットを安定した状態で建物の突起部に設置することができる。
しかも、前記外側サイドローラは、前記ユニット本体に揺動自在に設置された揺動アームに取り付けられている。走行ユニットの設置先である建物の突起部にあっては、突起部の上縁に連なる建物外側表面が垂直面ではなく、傾斜面である場合がある。突起部の上縁に傾斜面である建物外側表面が連なっている場合、垂直方向に延伸する回転軸に軸支されている外側サイドローラを外側表面に当接させることができないことがある。この点、本発明によれば、外側サイドローラを支持する揺動アームを揺動させることよって外側サイドローラを傾斜状態にすることができ、外側サイドローラを傾斜面である建物外側表面に接触させることができる。外側サイドローラを建物外側表面に接触させることができれば、走行ユニットを安定した状態で走行させることができる。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
請求項３に記載の発明では、前記走行ユニットは、前記建物の外方に先端が突出するブームを備えており、当該ブームは、ブーム延在方向に沿って進退移動自在であると共に、前記ワイヤが掛けられるプーリを備えており、前記ガイドレールは、前記ブームに吊下げ状態で連結されており、ブームを進退移動させると、当該ブームに取り付けられたプーリが進退移動して前記バケットおよびガイドレールの吊下げ位置が前記建物に対して近接離間移動するものである。走行ユニットの設置先である建物では、突起部の建物外側表面と、その下方の建物外側表面とが面一でなく、突起部下方の建物外側表面の方がより外側に位置していることがある。この場合、突起部に設置される走行ユニットにガイドレールを吊下げる構造では、ガイドレールを突起部下方の建物外側面に沿って垂直に吊下げることができないことがある。この点、本発明によれば、ブームを進退移動させることで、ブームに吊下げられたガイドレールを進退移動させることができるので、突起部の外側表面よりも突起部下方の外側表面の方が外側に位置しているような場合であっても、ガイドレールを突起部下方の外側表面に沿って垂直に吊下げることができる。
しかも、前記ブームは、前記ガイドレールとの連結位置より先端側に取り付けられた先端側プーリと、連結位置よりも後端側に取り付けられた後端側プーリを備えており、前記ワイヤは、いずれかのプーリに掛けられた状態で用いられるようになっており、前記バケットは、前記ガイドレールの建物離間側に配置された状態で前記ガイドレールに昇降自在に取付可能であると共に、ガイドレールの建物近接側に配置された状態でガイドレールに昇降自在に取付可能であり、前記建物離間側に配置されたバケットを前記先端側プーリに掛けられたワイヤによって昇降させ、前記建物近接側に配置されたバケットを前記後端側プーリに掛けられたワイヤによって昇降させる。走行ユニットの設置先である建物では、突起部の建物外側表面と、その下方の建物外側表面とが面一でなく、突起部下方の建物外側表面の方がより内側に位置していることがある。この場合、突起部の外側表面に沿って垂直にガイドレールを吊下げると、突起部の下方位置では、ガイドレールと建物外側表面とが離れてしまい、バケットに搭乗している作業者が建物外側表面に対して作業を行なうことができない場合がある。この点、本発明によれば、ガイドレールの建物近接側にバケットを配置することができるので、突起部外側表面よりも突起部下方の外側表面の方が内側に位置している場合でも、バケットを建物外側表面に近接する位置に配置することで、バケットを突起部下方の建物外側表面に近接した位置に配置することができ、建物外側表面に対して容易に作業を行なうことができる。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
請求項４に記載の発明では、前記バケットは、前記ガイドレールに近接する側に内側板を備えていると共にガイドレールから離間する側に外側板を備えており、内側板は、その上端部をバケットから離間する側に傾倒できるように、その下端部で回動自在に軸支されており、外側板は、その上端部をバケットから離間する側に傾倒できるように、その下端部で回動自在に軸支されている。吊下げられたバケットと建物外側表面との間に隙間があると、バケットに搭乗した作業者が建物外側表面に対して何らかの作業を行なっているときに、バケットと建物外側表面との間の隙間からごみなどを落下させる可能性がある。この点、本発明によれば、バケットの内側板や外側板を回動させることができ、回動させることによって内側板や外側板の上端がバケットから離間した状態に傾倒させることができる。そして、傾倒させることによって、内側板または外側板を建物外側表面に接触させることができる。バケットと建物外側表面との間の離間距離は、移動式足場装置を設置するたびごとに異なる場合が多いが、本発明によれば、当該離間距離が変動しても、建物外側表面に近接して位置する内側板または外側板を傾倒させることによって、バケットと建物外側表面との間に隙間が生ずることを確実に防止することができる。隙間の発生が防止されれば、作業者が誤ってごみなどを落下させたとしても、落下したごみは傾倒された内側板または外側板に当たってバケット内に回収されることとなり、バケット下方へのごみの落下が確実に防止される。
【手続補正１３】
【補正対象書類名】明細書
【補正対象項目名】００１９
【補正方法】変更
【補正の内容】
【００１９】
請求項５に記載の発明では、前記ブームは、前記建物の内方に延在する延長部を備えるものであり、前記走行ユニットの移動方向に延伸する状態であり、かつブームの延長部と交差する状態で、ブームのガイド部材を建物に設置し、ブームの延長部とガイド部材との交差部に、ブームおよびガイド部材に係合しており、かつ、走行ユニットの移動方向に移動するブームをガイド部材の延伸方向に案内するガイド部材が設置されている。建物の外側に進退移動可能なブームによって、ガイドレールやバケットを吊下げ支持する構造の移動式足場装置では、ブームが吊下げ支持するガイドレールおよびバケットの重量の関係で、ブームの建物外側への進出可能距離が制限される。この点、本発明によれば、ブームは延長部を備えており、しかも、当該延長部をガイド部材に係合させているので、ガイド部材によって、ブームを安定した状態に支持することができ、ブームを建物外側により長い距離進出させることができる。また、ガイド部材によって、走行ユニットと共に移動するブームの移動を案内するので、ブームと共に走行ユニットをよりスムーズに走行させることができる。